(57)【要約】【課題】絞り羽根によるシャッター動作の高速化を図る。【解決手段】絞り制御装置１０は、入射光量を絞り調整する絞り羽根６を開又は閉じ方向に駆動する駆動モータ１１と、所定の入射光量となるように駆動モータ１１の絞り駆動量を制御する絞り駆動制御回路１２と、駆動モータ１１に対し絞り駆動制御回路１２による絞り羽根６の開方向への絞り駆動と、駆動モータ１１による絞り羽根６の全閉駆動と、を切り替える全閉駆動回路１３と、を具備する。この装置１０によれば、絞り羽根６による絞り駆動と全閉駆動とを独立しておこなうことができる。【選択図】      図２
2004212470.tif 000002
【特許請求の範囲】
【請求項１】
入射光量を絞り調整する絞り部材を絞り駆動及び全閉駆動する絞り部材駆動手段と、
前記入射光量が所定量となるように前記絞り部材駆動手段の絞り駆動量を制御する絞り駆動制御手段と、
前記絞り駆動量に基づく前記絞り部材駆動手段による前記絞り部材の絞り駆動と、前記絞り部材駆動手段による前記絞り部材の全閉駆動と、を切り替え制御する切替制御手段と、
を具備することを特徴とする絞り制御装置。
【請求項２】
前記絞り部材駆動手段は、前記絞り駆動制御手段からの出力に応じた電流が流れる駆動コイルと、該駆動コイルに流れる電流により回動するロータと、を備え、
前記切替制御手段は、前記駆動コイルに流れる電流の方向により、前記絞り駆動量に基づく前記絞り部材駆動手段による前記絞り部材の絞り駆動と、前記絞り部材駆動手段による前記絞り部材の全閉駆動と、を切り替え制御することを特徴とする請求項１に記載の絞り制御装置。
【請求項３】
前記絞り部材駆動手段は、前記絞り駆動制御手段からの出力に応じた電流が流れる駆動コイルと、該駆動コイルに流れる電流により回動するロータと、前記ロータが回動することにより誘導起電力を生じる制動コイルと、を備え、
前記絞り駆動制御手段は、更に前記誘導起電力に基づいて前記絞り部材を制動することで絞り駆動し、
前記切替制御手段は、前記駆動コイルに流れる電流の方向により、前記絞り駆動量に基づく前記絞り部材駆動手段による前記絞り部材の絞り駆動と、前記絞り部材駆動手段による前記絞り部材の全閉駆動と、を切り替え制御することを特徴とする請求項１に記載の絞り制御装置。
【請求項４】
前記切替制御手段は、シャッター入力により前記全閉駆動に切り替え制御することを特徴とする請求項１〜３のいずれか一つに記載の絞り制御装置。
【請求項５】
入射光量を絞り調整する絞り部材をその絞る方向に付勢することでシャッター駆動と共用する絞り制御装置であって、
駆動コイルと、前記絞り部材に連結され前記駆動コイルに流れる電流により回動するロータと、前記ロータが回動することにより誘導起電力を生じる制動コイルと、を備え、前記絞り部材を駆動する駆動モータと、
前記入射光量を所定量得るための絞り入力信号と、前記制動コイルから出力される誘導起電力と、に基づいて、前記駆動モータを絞り駆動するための絞り駆動制御信号を出力する絞り駆動制御回路と、
前記絞り駆動制御信号に基づいて前記絞り部材を開方向へ駆動させるための開電流を前記駆動コイルに流す絞り駆動出力回路と、
シャッター駆動信号の入力に基づいて前記絞り駆動出力回路から出力される前記絞り駆動制御信号を遮断し、前記開電流の方向と逆方向の閉じ電流を前記駆動コイルに流して、前記絞り部材を前記シャッター駆動させるシャッター駆動制御回路と、
を具備することを特徴とする絞り制御装置。
【請求項６】
請求項１〜５のいずれか一つに記載の絞り制御装置を具備することを特徴とする撮像装置。
【発明の詳細な説明】
【０００１】
【発明の属する技術分野】
この発明は、入射光量を絞り調整する絞り部材に絞り駆動及び全閉駆動をさせる絞り制御装置及び撮像装置に関する。
【０００２】
【従来の技術】
図６に従来の絞り制御装置５０の概略回路図を示す。絞り制御装置５０は、増幅部５１と、モータ５２と、で略構成されている。増幅部５１は、オペアンプ５３と、ＲＣ直列回路５４と、逆相入力端子に接続される抵抗５５と、帰還抵抗５６と、で構成される。また、モータ５２は、周面にＮ極とＳ極が形成された円筒状のロータ５７と、所定間隔を有してロータ５７の軸方向に沿ってロータ５７に設けられた駆動コイル５８と制動コイル５９とで構成される。
【０００３】
オペアンプ５３の出力端子は、モータ５２の駆動コイル５８に接続されており、またモータ５２の制動コイル５９は、オペアンプ５３の逆相入力端子に帰還される。
【０００４】
なお、ロータ５７は図示しない絞り羽根（不図示）に連結されており、またこの絞り羽根は、図示しない付勢バネにより絞り方向（レンズ開口が閉じる方向）に付勢されている。
【０００５】
この構成では、オペアンプ５３の逆相入力端子に絞り駆動制御信号が入力されると、増幅部５１にて増幅された絞り駆動制御信号が駆動電圧として駆動コイル５８に印加され、ロータ５７を回動させる。一方、駆動コイル５８に駆動電圧が印加されると制動コイル５９に誘導起電力が生じ、オペアンプ５３に負帰還される。増幅部５１は、絞り駆動制御信号と誘導起電力との差に応じた駆動電圧を駆動コイル５８に印加することで、ロータ５７の回動速度が制御される。また、制動コイル５９に生じた誘導起電力によって生じた磁界は、駆動コイル５８に生じる磁界とは逆向きの磁界となるので、ロータ５７には制動がかけられる。
【０００６】
なお、このような絞り制御装置５０は、従来から各種提案されている（例えば特許文献１、特許文献２参照）。
【０００７】
【特許文献１】
特開平６−１７５１９２号公報
【特許文献２】
特開平６−２５０２５８号公報
【０００８】
【発明が解決しようとする課題】
上述した従来の装置は絞りを行うための装置であるため、この装置で絞り羽根とシャッターとを兼用してシャッター動作を行う場合は、オペアンプ５３に入力される絞り駆動制御信号をＯＦＦにすることで、付勢バネの付勢力により絞り羽根を閉方向に作動させることとなる。しかしながら、シャッター動作を付勢バネの付勢力だけに依存すると、絞り羽根の閉鎖速度を高速化することができない。また、経年変化による付勢バネの付勢力の低下により、絞り羽根の閉鎖速度が低下して、シャッタースピードが遅くなり、撮影画像にぶれが生じる原因になる。
【０００９】
また、上述した従来の装置を用いてシャッター動作を行う場合、駆動コイル５８に対し絞り羽根が閉じる方向に電圧を印加することとなるが、この電圧印加により制動コイル５９に誘導起電力が生じてしまうため、絞り羽根が閉じる方向に対し制動をかけてしまうこととなり、絞り羽根の閉鎖速度を抑制することとなる。
【００１０】
一方、上記特許文献１のように、制動コイルを除去してホール素子からの出力をオペアンプに帰還する構成とすることにより、誘導起電力の影響を除去することとしている。しかしながら、制動コイルを除去しているため、その分ホール素子とその出力をオペアンプへ帰還させる回路が必要となり、部品点数の増加や回路構成の複雑化を招くこととなる。また、上述のようなロータ、駆動コイル及び制動コイルからなる既存の安価なモータを用いることができないため、装置が高価なものとなる。
【００１１】
この発明は、上述した従来技術による問題点を解消するため、絞り羽根によるシャッター動作の高速化を図ることを目的とする。また、簡単な回路構成を採用することにより、部品点数の減少による回路構成の簡素化を図り、安価な装置を提供することを目的とする。
【００１２】
【課題を解決するための手段】
上述した課題を解決し、目的を達成するため、請求項１の発明にかかる絞り制御装置は、入射光量を絞り調整する絞り部材を絞り駆動及び全閉駆動する絞り部材駆動手段と、前記入射光量が所定量となるように前記絞り部材駆動手段の絞り駆動量を制御する絞り駆動制御手段と、前記絞り駆動量に基づく前記絞り部材駆動手段による前記絞り部材の絞り駆動（特に開方向への絞り駆動）と、前記絞り部材駆動手段による前記絞り部材の全閉駆動と、を切り替え制御する切替制御手段と、を具備することを特徴とする。
【００１３】
この請求項１の発明によれば、互いの駆動が干渉せずに、絞り部材による絞り駆動と全閉駆動とを独立しておこなうことができる。
【００１４】
また、請求項２の発明にかかる絞り制御装置は、請求項１に記載の絞り制御装置において、前記絞り部材駆動手段は、前記絞り駆動制御手段からの出力に応じた電流が流れる駆動コイルと、該駆動コイルに流れる電流により回動するロータと、を備え、前記切替制御手段は、前記駆動コイルに流れる電流の方向により、前記絞り駆動量に基づく前記絞り部材駆動手段による前記絞り部材の絞り駆動（特に開方向への絞り駆動）と、前記絞り部材駆動手段による前記絞り部材の全閉駆動と、を切り替え制御することを特徴とする。
【００１５】
この請求項２の発明によれば、駆動コイルに対し順方向に電流を流すと、絞り部材を開方向へ絞り駆動することができる。また、駆動コイルに対し逆方向に電流を流すと、開方向への絞り駆動を解除して、絞り部材駆動手段の駆動力により絞り部材を全閉駆動させることができる。これにより、互いの駆動が干渉せずに、絞り部材による絞り駆動と全閉駆動とを独立しておこなうことができる。
【００１６】
また、請求項３の発明にかかる絞り制御装置は、請求項１に記載の絞り制御装置において、前記絞り部材駆動手段は、前記絞り駆動制御手段からの出力に応じた電流が流れる駆動コイルと、該駆動コイルに流れる電流により回動するロータと、前記ロータが回動することにより誘導起電力を生じる制動コイルと、を備え、前記絞り駆動制御手段は、更に前記誘導起電力に基づいて前記絞り部材を制動することで絞り駆動し、前記切替制御手段は、前記駆動コイルに流れる電流の方向により、前記絞り駆動量に基づく前記絞り部材駆動手段による前記絞り部材の絞り駆動と、前記絞り部材駆動手段による前記絞り部材の全閉駆動と、を切り替え制御することを特徴とする。
【００１７】
この請求項３の発明によれば、駆動コイルに対し順方向に電流を流すと、制動しながら絞り部材を開方向へ絞り駆動することができる。また、駆動コイルに対し逆方向に電流を流すと、開方向への駆動と閉方向の駆動に対する制動とを解除して、絞り部材駆動手段の駆動力により絞り部材を全閉駆動させることができる。これにより、互いの駆動が干渉せずに、絞り部材による絞り駆動と全閉駆動とを独立しておこなうことができる。
【００１８】
また、請求項４の発明にかかる絞り制御装置は、請求項１〜３のいずれか一つに記載の絞り制御装置において、前記切替制御手段は、シャッター入力により作動することを特徴とする。
【００１９】
この請求項４の発明によれば、シャッター入力がされていないときは、切替制御手段は作動せず、絞り駆動制御手段により絞り部材が開閉方向に駆動する。また、これに伴い開閉方向に制動する。一方、シャッター入力がされると、開方向への駆動や閉方向の駆動に対する制動を解除して、絞り部材駆動手段の駆動力により絞り部材を全閉駆動させることができる。これにより、互いの駆動が干渉せずに、絞り部材による絞り駆動と全閉駆動とを独立しておこなうことができる。
【００２０】
また、請求項５の発明にかかる絞り制御装置は、入射光量を絞り調整する絞り部材をその絞る方向に付勢することでシャッター駆動と共用する絞り制御装置であって、駆動コイルと、前記絞り部材に連結され前記駆動コイルに流れる電流により回動するロータと、前記ロータが回動することにより誘導起電力を生じる制動コイルと、を備え、前記絞り部材を駆動する駆動モータと、前記入射光量を所定量得るための絞り入力信号と、前記制動コイルから出力される誘導起電力と、に基づいて、前記駆動モータを絞り駆動するための絞り駆動制御信号を出力する絞り駆動制御回路と、前記絞り駆動制御信号に基づいて前記絞り部材を開方向へ駆動させるための開電流を前記駆動コイルに流す絞り駆動出力回路と、シャッター駆動信号の入力に基づいて前記絞り駆動出力回路から出力される前記絞り駆動制御信号を遮断し、前記開電流の方向と逆方向の閉じ電流を前記駆動コイルに流して、前記絞り部材を前記シャッター駆動させるシャッター駆動制御回路と、を具備することを特徴とする。
【００２１】
この請求項５の発明によれば、シャッター入力がないときは、誘導起電力により開方向への駆動量を制御して、絞り部材の閉方向の付勢力に抗して絞り調整することができる。シャッター入力がされたときは、開方向への絞り駆動を停止して、駆動モータによりシャッター駆動をさせることができる。これにより、互いの駆動が干渉せずに、絞り部材による絞り駆動とシャッター駆動とを独立しておこなうことができる。
【００２２】
また、請求項６の発明にかかる撮像装置は、請求項１〜５のいずれか一つに記載の絞り制御装置を具備することを特徴とする。
【００２３】
この請求項６の発明によれば、絞り部材による絞り駆動と全閉駆動とを独立しておこなうことができる。また同様に、絞り部材による絞り駆動とシャッター駆動とを独立しておこなうことができる。
【００２４】
【発明の実施の形態】
以下に添付図面を参照して、この発明にかかる絞り制御装置及び撮像装置の好適な実施の形態を詳細に説明する。
【００２５】
図１は、本実施の形態の撮像装置１を示す概略ブロック構成図である。撮像装置１は、操作部２と、鏡胴３と、撮像素子としてのＣＣＤ４と、撮像レンズ５と、絞り部材としての絞り羽根６と、表示部７と、中央制御部８と、絞り制御装置１０と、で略構成されている。
【００２６】
操作部２は、中央制御部８に対し、ズーム、絞り調整、シャッター作動などの操作入力をするためのズームレバー、絞り調整スイッチ、シャッターボタンなどで構成されている。鏡胴３には、開口側から絞り羽根６と撮像レンズ５とＣＣＤ４が支持されている。絞り羽根６は、複数枚（図１では２枚）の板状部材で構成される。この絞り羽根６は、撮像レンズ５の光軸方向に直交する方向、換言すれば、鏡胴３の径方向に開閉駆動することで、入射光量を絞り調整する。絞り羽根６を開方向に絞り駆動すると入射光量が多くなり、絞る（閉方向に絞り駆動する）と入射光量が減少する。この絞り羽根６は、絞り制御装置１０により絞り駆動制御されるとともに全閉駆動制御される。なお、絞り羽根６には、図示しないバネなどの付勢部材が設けられており、常時閉方向に付勢している。撮像レンズ５は、外部からの入射光を集光し、ＣＣＤ４に結像させる。ＣＣＤ４は、所定の画素数を有しており、図示しないＡＤ変換器を介して画素ごとに中央制御部８に対し画素データを出力する。表示部７は、例えば液晶などのディスプレイで構成され、ＣＣＤ４から得られた画素データに基づいて映像を表示する。
【００２７】
中央制御部８は、例えばＣＰＵ及びＲＯＭ，ＲＡＭなどで構成され、操作部２、表示部７、ＣＣＤ４、絞り制御装置１０などを統括制御する。例えば、操作部２にズームレバーが設けられている場合、このズームレバーを操作すると、この中央制御部８により図示しないレンズ駆動機構が光軸方向に進退移動する。また、絞り調整をする場合、操作部２の絞り調整ボタンを操作することにより、中央制御部８から絞り制御装置１０に対し絞り駆動制御信号を出力する。更に、撮影する場合、操作部２のシャッターボタンを押下すると、中央制御部８から絞り制御装置１０に対してシャッター作動信号が出力される。また、ＣＣＤ４が入射光を受光すると、表示部７に対し表示制御をおこなう。
【００２８】
次に、絞り制御装置１０について説明する。図１及び図２に示すように、絞り制御装置１０は絞り部材駆動手段（駆動モータ）１１と、絞り駆動制御手段（絞り駆動制御回路）１２と、切替制御手段（全閉駆動回路）１３と、で概略構成される。
【００２９】
絞り部材駆動手段は、絞り羽根６を開又は絞り方向に駆動する駆動モータ１１であり、図２に示すように、駆動コイル１４と、ロータ１５と、制動コイル１６と、で構成される駆動モータ１１である。ロータ１５は円筒状に形成され、周面にＮ極とＳ極が形成された永久磁石とされている。ロータ１５の端面には図示しない突出軸が形成され、絞り羽根６と連結している。ロータ１５は駆動コイル１４に生じる磁界により正逆回動するようになっている。このロータ１５の回動により絞り羽根６が開又は閉じ方向に駆動するようになっている。また、駆動コイル１４と制動コイル１６は、所定間隔を有してロータ１５の軸方向に沿ってロータ１５に設けられている。駆動コイル１４の一端は、絞り駆動制御手段１２と切替制御手段１３とに接続されている。駆動コイル１４の他端には電圧Ｖ2が印加されている。制動コイル１６は、駆動コイル１４に流れる電流でロータ１５が回動することにより誘導起電力を生じる。制動コイル１６の一端は駆動コイル１４の他端に接続されるとともに、駆動コイル１４と同様、電圧Ｖ2が印加されている。制動コイル１６の他端は、絞り駆動制御手段１２に接続されている。
【００３０】
絞り駆動制御手段１２は、入射光量が所定量となるように駆動モータ１１の絞り駆動量を制御する絞り駆動制御回路である。図２に示すように、この絞り駆動制御回路１２は、第一の増幅器１７と第二の増幅器１８とで略構成される。第一の増幅器１７は、オペアンプ２０と、ＲＣ直列回路２１と帰還抵抗２２とから成る帰還回路２３と、逆相入力端子に接続される入力抵抗２４と、で構成される。オペアンプ２０の正相入力端子に対する入力電圧はＶ2とされている。逆相入力端子には、中央制御部８から出力される絞り駆動制御信号が入力される。
【００３１】
第二の増幅器１８は、オペアンプ２５と帰還抵抗２６と入力抵抗２７とで構成されている。この第二の増幅器１８は、後述する駆動モータ１１の制動コイル１６からの出力信号を反転増幅させて第一の増幅器１７の逆相入力端子に帰還させる。
【００３２】
また、絞り駆動制御回路１２は、駆動出力回路２８も備えている。駆動出力回路２８は、ＰＮＰ型トランジスタ３０と、このＰＮＰ型トランジスタ３０のエミッタ側に接続される入力抵抗３１と、ベース側に接続される入力抵抗３２と、で構成される。エミッタの入力抵抗３１には電圧Ｖ1が印加されている。また、ベースの入力抵抗３２はオペアンプ２０の出力端子と接続されている。更に、ＰＮＰ型トランジスタ３０のコレクタは、駆動コイル１４の一端及び切替制御手段１３と接続されている。
【００３３】
切替制御手段１３は、駆動モータ１１に対し絞り駆動制御回路１２による絞り羽根６の開方向への絞り駆動と、駆動モータ１１による絞り羽根６の全閉駆動と、を切り替える全閉駆動回路である。この全閉駆動回路１３は、図２に示すように、ＮＰＮ型トランジスタ３３と、このＮＰＮ型トランジスタ３３のベースに接続された入力抵抗３４と、で構成される。ＮＰＮ型トランジスタ３３のコレクタは駆動コイル１４の一端と接続されている。また、ＮＰＮ型トランジスタ３３のベースは中央制御部８に接続されており、全閉駆動信号が入力される。更に、ＮＰＮ型トランジスタ３３のエミッタは接地電圧Ｖ0（Ｖ0＝０［ｖ］）が印加されている。
【００３４】
なお、各オペアンプ２０，２５の正相入力端子と、駆動コイル１４及び制動コイル１６とには電圧Ｖ2が印加されており、駆動出力回路２８には電圧Ｖ１が印加されているが、この印加電圧Ｖ1，Ｖ2及び接地電圧Ｖ0の関係は、Ｖ1＞Ｖ2＞Ｖ0とされている。
【００３５】
次に、本実施の形態の動作について、図３及び図４を用いて説明する。図３に示すように、中央制御部８から絞り駆動制御信号が入力されると、第一の増幅器１７により増幅されて駆動出力回路２８のベースに出力される。この増幅された絞り駆動制御信号が入力されると、駆動出力回路２８から駆動コイル１４の一端から他端へ所定量の電流が流れる。この駆動コイル１４に流れる電流（以下、「開電流」と呼ぶ）により生じる磁界の影響により、ロータ１５が正方向に所定量回動する。これにより、絞り羽根６に取り付けられている付勢部材の付勢力に抗して、絞り羽根６が開方向に駆動する。
【００３６】
また、このとき、駆動コイル１４に流れる開電流でロータ１５が回動することにより、制動コイル１６に誘導起電力が生じて、オペアンプ２５の逆相入力端子に開電流と極性が反転する電流が入力される。この制動コイル１６からの出力電流は、第二の増幅器１８により反転増幅されて第一の増幅器１７のオペアンプ２０の逆相入力端子へ帰還される。
【００３７】
この帰還された電流信号と中央制御部８から絞り駆動制御信号との差動利得により、第一の増幅器１７から出力される出力信号が増減され、駆動出力回路２８から駆動コイル１４へ出力する開電流の電流量を調整する。これにより、絞り羽根６は開又は絞り方向に駆動して絞り駆動量が調整される。
【００３８】
次に、図４に示すように、全閉駆動回路１３に全閉駆動信号が入力された場合、この全閉駆動信号はＰＮＰ型トランジスタ３０のベースに入力される。これにより、ＰＮＰ型トランジスタ３０のエミッタとコレクタが接続される。そして、駆動コイル１４の他端及び制動コイル１６の一端の印加電圧Ｖ2と全閉駆動回路１３の接地電圧との間に電位差が生じて、駆動コイル１４の他端から一端の方向へ電流（以下、「閉じ電流」と呼ぶ）が流れ、ＮＰＮ型トランジスタ３３のコレクタに入力され、エミッタから出力される。したがって、駆動出力回路２８から駆動コイル１４へ流れる電流が遮断され、絞り駆動制御信号が駆動モータ１１に伝達されず、駆動モータ１１は開方向へ回動しない。また、全閉駆動信号が入力している間、駆動コイル１４には閉じ電流が流れるため、ロータ１５は逆方向に回動し、絞り羽根６は付勢部材の付勢力とともに閉方向に駆動して全閉状態となる。
【００３９】
なお、全閉駆動回路１３に入力される全閉駆動信号が、操作部２のシャッターボタンの押下により中央制御部８から出力されるシャッター信号である場合、絞り駆動制御回路１２による絞り調整後に、高速にシャッターを切ることができる。したがって、シャッタースピードの遅延を招くことが無く、撮影画像のぶれなどを防止することができ、クリアな画像を得ることができる。
【００４０】
また、上述した実施の形態では、第二の増幅器１８により制動コイル１６からの出力電流を反転増幅させていたが、図５に示すように、制動コイル１６の一端を絞り駆動制御回路１２に接続し、他端を駆動コイル１４の他端に接続すれば、出力電流を反転しなくてもよいので、第二の増幅器１８を設ける必要は無い。この場合、制動コイル１６の巻数を多くしておくことにより、制動コイル１６からの出力電流を大きくすることができる。この例によれば、回路構成を簡素化することができる。
【００４１】
以上説明したように、本実施の形態の絞り制御装置１０によれば、絞り羽根６による絞り駆動と全閉駆動とを切り替えることにより、互いの駆動が干渉せずに、独立しておこなうことができるため、絞り羽根６の開方向への絞り駆動に抗することなく、全閉駆動をおこなうことができる。これにより、絞り羽根６の全閉駆動を高速化することができる。また、駆動コイル１４とロータ１５と制動コイル１６からなる既存の駆動モータ１１を適用することができるため、制動コイル１６を外したり、ホール素子及びこれに付随する回路を別途取り付ける時間と手間を省くことができ、部品点数を減少することができる。これにより、簡単な構成で安価な装置を提供することができる。
【００４２】
【発明の効果】
以上説明したように、本発明によれば、絞り羽根による全閉駆動の高速化を図ることができるという効果を奏する。また、簡単な回路構成を採用することにより、部品点数の減少による回路構成の簡素化を図り、安価な装置を提供することができるという効果を奏する。特に撮像装置に適用した場合、シャッターとしての絞り羽根の全閉駆動の高速化を図ることができるという効果を奏する。またこれにより、絞り羽根の全閉駆動の遅延により生じる撮影画像のぶれを抑制することができる。
【図面の簡単な説明】
【図１】この発明の本実施の形態にかかる撮像装置の概略構成を示すブロック図である。
【図２】この発明の本実施の形態にかかる絞り制御装置の構成を示す回路図である。
【図３】この発明の本実施の形態にかかる絞り制御装置の構成を示す回路図であり、絞り駆動制御信号が入力されたときの信号の流れを示す図である。
【図４】この発明の本実施の形態にかかる絞り制御装置の構成を示す回路図であり、全閉駆動信号が入力されたときの信号の流れを示す図である。
【図５】この発明の本実施の形態にかかる絞り制御装置の変形例の構成を示す回路図である。
【図６】従来の絞り制御装置の構成を示す回路図である。
【符号の説明】
１  撮像装置
６  絞り部材（絞り羽根）
１０  絞り制御装置
１１  絞り部材駆動手段（駆動モータ）
１２  絞り駆動制御手段（絞り駆動制御回路）
１３  切替制御手段（全閉駆動回路）
１４  駆動コイル
１５  ロータ
１６  制動コイル
２８  駆動出力回路
【図１】
2004212470.tif 000003
【図２】
2004212470.tif 000004
【図３】
2004212470.tif 000005
【図４】
2004212470.tif 000006
【図５】
2004212470.tif 000007
【図６】
2004212470.tif 000008